(57)【要約】【課題】  コンクリート打設面上に行う従来の墨出し作業を省略してスラブ鉄筋を配筋することができ、コンクリート床スラブの施工を大幅に簡略化することができ、その施工コストを低減することができる。【解決手段】  型枠パネルＰ上にスラブ鉄筋Ｒを配筋して、その上にコンクリートＣを打設して床スラブＳを成形する、建物の床スラブの施工方法であって、型枠パネルＰは、基板１の上面に、縦、横凹溝３，４をあけて複数のリブ体２を格子状に一体に設けてなり、リブ体２間のピッチ２ｐは、格子状に組まれるスラブ鉄筋Ｒの縦、横鉄筋１０，１１間のピッチ１０ｐ，１１ｐと略等しくしてあり、スラブ鉄筋Ｒの交差緊結部１２を、型枠パネルＰの縦凹溝３および横凹溝４の十字状交差部５の中央に配置させる。【選択図】    図５
2006214212.tif 000002
【特許請求の範囲】
【請求項１】
断熱材よりなる型枠パネル（Ｐ）上にスラブ鉄筋（Ｒ）を配筋して、その上にコンクリート（Ｃ）を打設することによりコンクリート床スラブ（Ｓ）を成形する、建物における床スラブの施工方法であって、
前記型枠パネル（Ｐ）は、板状の基板（１）のフラットな上面に、縦横に縦凹溝（３）および横凹溝（４）をあけて格子状に一体に立設される四角柱状の複数のリブ体（２）を備えており、前記リブ体（２）間のピッチ（２ｐ）は、格子状に組まれるスラブ鉄筋（Ｒ）の縦鉄筋（１０）および横鉄筋（１１）間のピッチ（１０ｐ，１１ｐ）と略等しくしてあり、型枠パネル（Ｐ）上に、スラブ鉄筋（Ｒ）を配筋するときは、該スラブ鉄筋（Ｒ）の交差緊結部（１２）を、型枠パネル（Ｐ）の縦凹溝（３）および横凹溝（４）の十字状交差部（５）の略中央に配置させたことを特徴とする、床スラブの施工方法。
【請求項２】
前記床スラブの施工方法に使用される型枠パネルであって、
板状の基板（１）と、その基板（１）のフラットな上面に、縦横に縦凹溝（３）および横凹溝（４）をあけて格子状に一体に立設される四角柱状の複数のリブ体（２）を備えており、それらのリブ体（２）間のピッチ（２ｐ）は、前記格子状に組まれるスラブ鉄筋（Ｒ）の縦鉄筋（１０）および横鉄筋（１１）間のピッチ（１０ｐ，１１ｐ）と略等しくしてあることを特徴とする型枠パネル。
【請求項３】
前記リブ体（２）は、その上端から下端まで縦横の幅がが同じ四角柱状であることを特徴とする前記請求項２記載の型枠パネル。
【発明の詳細な説明】
【技術分野】
【０００１】
本発明は、コンクリート躯体を有する建物の床スラブの施工方法およびその施工方法に使用される型枠パネルに関する。
【背景技術】
【０００２】
従来、鉄筋コンクリート建物などにおいて、コンクリート躯体のコンクリート床スラブとして「ワッフルスラブ」が知られている（非特許文献１参照）。
【非特許文献１】図書「建築用語」ポケットブック  構造編  昭和５９年６月３０日  丸善株式会社発行
【発明の開示】
【発明が解決しようとする課題】
【０００３】
ところで、この「ワッフルスラブ」は、小梁となる多数にリブ体を備えて格子状に形成されており、大梁と小梁を備えた通常のコンクリート床スラブに比べて有効階高を高くとれる利点を有している反面、この「ワッフルスラブ」の構築に当たっては、特殊構造の仮設型枠を必要とするため、その仮設型枠の施工が面倒であり、また、配筋に際して、鉄筋の交差部が多いため、その配筋構造が複雑となり、その作業に手間取り、さらに、複雑な構造の仮設型枠はコンクリートの打設によるコンクリート躯体の完成後には解体されるので、その解体作業が面倒であり、また仮設型枠はその後に建物の機能部材として使用されることがないので、全体としてコスト高を招くという問題がある。
【０００４】
本発明は、かかる実情に鑑みてなされたものであり、「ワッフルスラブ」の利点を生かしつつ、型枠、配筋の施工を簡素化するとともに床スラブ用の型枠パネルを床スラブの断熱、遮音パネルとしてそのまま使用できるようにした、新規な床スラブの施工方法およびその方法に使用される型枠パネルを提供することを目的とする。
【課題を解決するための手段】
【０００５】
上記目的を達成するために、請求項１記載の発明は、断熱材よりなる型枠パネル上にスラブ鉄筋を配筋して、その上にコンクリートを打設することによりコンクリート床スラブを成形する、建物における床スラブの施工方法であって、
前記型枠パネルは、板状の基板のフラットな上面に、縦横に縦凹溝および横凹溝をあけて格子状に一体に立設される四角柱状の複数のリブ体を備えており、それらのリブ体間のピッチは、格子状に組まれるスラブ鉄筋の縦鉄筋および横鉄筋間のピッチと略等しくしてあり、型枠パネル上に、スラブ鉄筋を配筋するときは、該スラブ鉄筋の交差緊結部を、型枠パネルの縦凹溝および横凹溝の十字状交差部の略中央に配置させたことを特徴としている。。
【０００６】
上記目的を達成するために、請求項２記載の発明は、前記床スラブの施工方法に使用される型枠パネルであって、
板状の基板と、その基板のフラットな上面に、縦横に縦凹溝および横凹溝をあけて格子状に一体に立設される四角柱状の複数のリブ体を備えており、それらのリブ体間のピッチは、前記格子状に組まれるスラブ鉄筋の縦鉄筋および横鉄筋間のピッチと略等しくしてあることを特徴としている。
【０００７】
上記目的を達成するために、請求項３記載の発明は、前記請求項２記載のものにおいて、前記リブ体は、その上端から下端まで縦横の幅が同じ四角柱状であることを特徴としている。
【発明の効果】
【０００８】
本請求項１記載の発明によれば、型枠パネルの複数のリブ体間のピッチが、格子状に組まれるスラブ鉄筋の縦鉄筋および横鉄筋間のピッチと略等しくしてあり、型枠パネル上に、スラブ鉄筋を配筋するときは、該スラブ鉄筋の各交差緊結部を、型枠パネルの縦凹溝および横凹溝の十字状交差部の略中央にそれぞれ配置させることができるので、コンクリート打設面上に行う従来の墨出し作業を省略することができ、コンクリート床スラブの施工を大幅に簡略化することができ、そのその施工コストを低減することができる。
【０００９】
また、本請求項２記載の発明によれば、前記コンクリート床スラブの施工を大幅に簡略化し得る型枠パネルを提供することができる。
【００１０】
さらに、本請求項３記載の発明によれば、型枠パネルの複数のリブ体は、その上端から下端まで縦横の幅が同じ四角柱であるので、型枠パネルに充填されるコンクリートの容量を、該型枠パネルの厚さ方向に均等化して、コンクリート床スラブの剛性を高めることができる。
【発明を実施するための最良の形態】
【００１１】
以下、本発明の実施の形態を、添付図面に例示した本発明の実施例に基づいて以下に具体的に説明する。
【００１２】
図１は、床スラブを備えたコンクリート躯体の一部破断斜視図、図２は、型枠パネルおよびスラブ鉄筋の斜視図、図３は、図１の３−３線に沿う断面図、図４は、図１の４−４線に沿う断面図、図５は、図１の５矢視の部分拡大図、図６は、図５の６−６線に沿う断面図、図７は、コンクリート床スラブの施工順序を示す図である。
【００１３】
コンクリート躯体の水平躯体部分を構成する床スラブＳは、断熱パネルよりなる本発明に従う型枠パネルＰと、この型枠パネルＰ上に配筋されるスラブ鉄筋Ｒと、型枠パネルＰ上に打設されるコンクリートＣとより構成される。
【００１４】
前記型枠パネルＰは、所定寸法にモジュール化された複数のパネルユニットＰｕを一平面上に縦横に一体に接続して構成される。各パネルユニットＰｕは、断熱材、たとえばポリスチレンなどの合成樹脂材により一体に成形される。
【００１５】
図２に最も明瞭に示すように、各パネルユニットＰｕは、長方形の基板１と、この基板１のフラットな上面に一体に格子状に立設される複数の四角柱状の小梁、すなわちリブ体２…とを備えており、これらのリブ体２…は、縦横に交差する複数の縦凹溝３…および横凹溝４…によって囲まれており、縦凹溝３…と横凹溝４…との十字状交差部５は、相隣り合う４つのリブ体２…により囲まれる。複数のリブ体２…の各ピッチ２ｐは、縦凹溝３…と横凹溝４…間のピッチと同じである。またリブ体２…は、その下端から上端に至るまで同一の縦横幅を有して四角柱状に形成され、これらのリブ体２…を囲む縦凹溝３…および横凹溝４…も、その下端から上端に至るまでその溝幅が同じである。
【００１６】
しかして、前記パネルユニットＰｕは、ワンルームマンションの一室など比較的間取りの小さい床面積にも端材を少なくして無駄なく対応できるように、比較的小さい面積にモジュール化されており、たとえば、縦１，８００ｍｍ、横９００ｍｍ、厚さ１２０ｍｍ、リブ体の幅９０ｍｍ、その高さ７０ｍｍ、縦および横凹溝の幅９０ｍｍ、リブ体２間のピッチ（縦および横凹溝のピッチ）１８０ｍｍに設定される。
【００１７】
図１に示すように、モジュール化されパネルユニットＰｕはそれらの複数枚を一平面上に並べ、それらの接続端縁同士を適宜の緊結具により一体に接続して型枠パネルＰが形成される。
【００１８】
前記型枠パネルＰ上には、スラブ鉄筋Ｒが配筋される。このスラブ鉄筋Ｒは従来公知のものであり、複数本の縦、横鉄筋１０…，１１…を格子状に編成して構成され、縦、横鉄筋１０…，１１…の交差部は結束線１３…によりそれぞれ緊結されて交差緊結部１２を構成している。しかして、図５に明瞭に示すように、このスラブ鉄筋Ｒの縦鉄筋１０…間のピッチ１０ｐ…および横鉄筋１１…間のピッチ１１ｐ…は、前記パネルユニットＰｕのリブ体２…間のピッチ２ｐ…（縦、横凹溝３，４間のピッチ）とそれぞれ略同じにしてあり、後に述べるように、型枠パネルＰ上に、スラブ鉄筋Ｒを配筋するとき、複数の縦鉄筋１０…および横鉄筋１１…を型枠パネルＰの縦凹溝３…および横凹溝４…の中間部に位置させることにより、縦、横鉄筋１０…，１１…の各交差緊結部１２…を、縦凹溝３…および横凹溝４…の各十字状交差部５…の中央にそれぞれ配置させることができる。
【００１９】
つぎに、図７を参照して、前述のように構成される、型枠パネルＰを、仮設されるコンクリート型枠Ｆｃに組み込む場合について説明すると、住空間をあけて組み付けられる壁型枠２０はコンクリート打設空間をあけて対峙される内、外側型枠２０ｉ，２０ｏを備えており、そのうち内側の壁型枠２０ｉの上縁間には、複数枚のパネルユニットＰｕよりなる前記型枠パネルＰが橋渡されて組み付けられる。また外側の壁型枠２０ｏの上端は、内側の壁型枠２０ｉの上端よりも上方に延びていて打設されるコンクリートＣの堰板を形成する。
【００２０】
型枠パネルＰは、住空間の床面積に合致するように、複数のパネルユニットＰｕを、前述したように一平面上に一体に接続して、図７（ａ）に示すように、コンクリート型枠Ｆｃの床スラブ形成部位に組み付けられる。型枠パネルＰは、ばた材２２を介して複数のパイプサポート２３により支持される。
【００２１】
つぎに、図７（ｂ）に示すように、型枠パネルＰの上面にスラブ鉄筋Ｒ（従来公知のもの）が配筋される。このとき、型枠パネルＰを前述したように構成することにより、スラブ鉄筋Ｒの複数の縦鉄筋１０…および横鉄筋１１…は、型枠パネルＰの縦凹溝３…および横凹溝４…内にそれぞれ配置される。このとき、縦鉄筋１０…および横鉄筋１１…の交差緊結部１２…は、四つのリブ体２…により囲まれる縦鉄筋１０…および横鉄筋１１…の十字状交差部５の中央に必然的に位置させることができる（図５，６参照）。
【００２２】
しかして、このような配筋施工は、型枠パネルＰに、スラブ鉄筋Ｒを配筋するための従来の墨出し作業をする必要がなく、しかもスラブ鉄筋Ｒを型枠パネルＰの所定の位置に精確に配筋することができる。
【００２３】
以上のように、型枠パネルＰ上へのスラブ鉄筋Ｒの配筋が終了したら、図７（ｃ）に示すように、型枠パネルＰ上にコンクリートＣを打設する。コンクリートＣは、型枠パネルＰとスラブ鉄筋Ｒ間に充填され、その上面は通常の均し作業により平坦に均される。
【００２４】
しかして、型枠パネルＰの複数の縦、横凹溝３…，４…は、その上端から下端に至るまで縦横に同じ幅に形成されているので、それらの凹溝３…，４…にコンクリートＣが充填されることにより、そのコンクリートＣの充填量が床スラブＳの高さおよび横方向に均等化され、これにより、コンクリート床スラブの強度が、その全域にわたり高められる。
【００２５】
コンクリートＣが硬化して、その強度と養生とが十分に確認されたら、仮設のコンクリート型枠Ｆｃの解体工事が行われる。すなわち、バタ材２２、パイプサポート２３および壁型枠２０が解体撤去されるが、型枠パネルＰは、コンクリートＣと一体に結合されたまま、コンクリート床スラブＳの断熱、遮音部材として恒久的に使用される。
【００２６】
しかして、前記実施例のものは、下記の利点を有する。
【００２７】
(1) 型枠パネルＰを構成するパネルユニットＰｕは、比較的小さい面積（１８００ｍｍ×９００ｍｍ）にモジュール化されていることにより、ワンルームマンションの一室など比較的間取りの小さい床面積にも端材を少なくして無駄なく対応できる。
【００２８】
(2) コンクリートスラブＳを薄く（２５０ｍｍ）することができ、建物の階高を低くすして建物の階数減になることがなく、しかも十分な遮音性と剛性を確保することができる。
【００２９】
(3) リブ体、すなわち小梁２…のピッチ２ｐ…を、スラブ鉄筋Ｒの配筋のピッチ１０ｐ…，１１ｐ…と等しくしてあるので、コンクリート床スラブＳの施工性が大幅に簡略化される。
【００３０】
以上、本発明の実施例について説明したが、本発明はその実施例に限定されることなく、本発明の範囲内で種々の実施例が可能である。
【図面の簡単な説明】
【００３１】
【図１】床スラブを備えたコンクリート躯体の一部破断斜視図
【図２】型枠パネルおよびスラブ鉄筋の斜視図
【図３】図１の３−３線に沿う断面図
【図４】図１の４−４線に沿う断面図
【図５】図１の５矢視の部分拡大図
【図６】図５の６−６線に沿う断面図
【図７】コンクリート床スラブの施工順序を示す図
【符号の説明】
【００３２】
１・・・・・・基板
２・・・・・・リブ体
２ｐ・・・・・ピッチ（リブ体２の）
３・・・・・・縦凹溝
４・・・・・・横凹溝
５・・・・・・十字状交差部
１０・・・・・・縦鉄筋
１０ｐ・・・・・ピッチ（縦鉄筋の）
１１・・・・・・横鉄筋
１１ｐ・・・・・ピッチ（横鉄筋の）
１２・・・・・・交差緊結部
Ｃ・・・・・・コンクリート
Ｐ・・・・・・型枠パネル
Ｒ・・・・・・スラブ鉄筋
Ｓ・・・・・・コンクリート床スラブ
【図１】
2006214212.tif 000003
【図２】
2006214212.tif 000004
【図３】
2006214212.tif 000005
【図４】
2006214212.tif 000006
【図５】
2006214212.tif 000007
【図６】
2006214212.tif 000008
【図７】
2006214212.tif 000009